(57)【要約】【課題】外壁パネル間の縦目地のどの位置にでも屋外側から容易に取り付け及び取り外しすることができる壁つなぎ取付構造を提供する。【解決手段】  建物１と該建物１の外壁２に沿って立設される足場３とを固定する壁つなぎ取付構造であって、外壁パネル２１間の縦目地２２に挿入され、軸組材に引っ掛けられるフックボルト４１と、フックボルト４１の後端側を挿通可能な貫通孔４２ｃが形成された押えプレート４２と、貫通孔４２ｃにフックボルト４１の後端側を挿通させた状態で、フックボルト４１の後端側から取り付けることで押えプレート４２を外壁パネル２１表面へ押し付け、且つ、壁つなぎ６の先端側が取り付けられる固定部材４４とを有する壁つなぎ固定具４と、水平方向に延びるパイプ状に形成され、壁つなぎ６の後端側が取り付けられる本体部５１と、本体部５１の両端に、足場の隣接する支柱３１ａに固定される一対のクランプ部５２，５３とを有する水平材５とを備える。【選択図】図２
2016056639.tif 000002
【特許請求の範囲】
【請求項１】
建物と該建物の外壁に沿って立設される足場とを固定する壁つなぎ取付構造であって、
前記建物の外壁を形成する外壁パネル間の縦目地に挿入され、前記外壁パネルが取り付けられる軸組材に引っ掛けられるフックボルトと、前記縦目地から屋外側へ突出する前記フックボルトの後端側を挿通可能な貫通孔が形成されている押えプレートと、前記押えプレートの前記貫通孔に前記フックボルトの後端側を挿通させた状態で、前記フックボルトの後端側から取り付けることにより前記押えプレートを前記外壁パネルの表面側へと押し付け、且つ、前記建物と前記足場を固定するための壁つなぎの先端側が取り付けられる固定部材とを有する壁つなぎ固定具と、
水平方向に延びるパイプ状に形成され、水平方向の任意の位置に前記壁つなぎの後端側が取り付けられる本体部と、前記本体部の両端にそれぞれ設けられ、前記固定部材の高さに合うように高さ位置が調整され、前記足場の隣接する支柱にそれぞれ固定される一対のクランプ部とを有する水平部材と、を備えることを特徴とする壁つなぎ取付構造。
【請求項２】
前記フックボルトの後端側は、前記押えプレートの貫通孔に挿通された状態において、前記フックボルトの軸方向の回転に伴って前記押えプレートが回転するように形成されていることを特徴とする請求項１に記載の壁つなぎ取付構造。
【請求項３】
前記壁つなぎ固定具は、前記押えプレートと前記外壁パネルの間に介在される緩衝材を有することを特徴とする請求項１又は２に記載の壁つなぎ取付構造。
【請求項４】
前記水平材は、水平方向に長さ調節可能であることを特徴とする請求項１乃至３のいずれかに記載の壁つなぎ取付構造。
【発明の詳細な説明】
【技術分野】
【０００１】
本発明は、建物と足場を固定する壁つなぎ取付構造に関する。
【背景技術】
【０００２】
従来から、住宅等の建物のリフォームや増改築時、新築時等には、建物の外壁に沿って足場が立設され、各種の作業が行われている。このような足場は、複数の支柱が所定の間隔を離して設けられ、隣接する支柱間に手摺、中桟、踏板等がそれぞれ組み付けられて構成される。
【０００３】
通常、足場では、倒壊や変形等を防止するために、足場を建物に固定するための壁つなぎが用いられる。壁つなぎは、一端に足場の支柱や手摺に固定するためのクランプが設けられており、他端には雄ネジが形成されたボルトが設けられている。このような壁つなぎは、足場を建物に固定する際に、一端側のクランプが足場の支柱や手摺に固定され、他端側のボルトが建物側に固定される壁つなぎ取付金具の雌ネジが形成されたナット部材に螺合されることにより、足場が建物に固定される。
【０００４】
建物側に固定される壁つなぎ取付金具としては、例えば、建物の外壁を形成する外壁パネル間の縦目地を利用して取り付けられるものがある（例えば、特許文献１及び特許文献２参照）。特許文献１には、外壁パネル間の縦目地内に嵌まる縦長ブロック状に形成され、縦目地を通して鉄骨柱の屋外面にビスで固定されるビス止め金物と、先端にビス止め金物に形成されたネジ孔に螺合される雄ネジが形成された軸部と、この軸部の基端側に設けられ、壁つなぎのボルトが螺合される雌ネジが形成された壁つなぎ取付用の雌ネジ部材とで構成される壁つなぎジョイント金物とを備える壁つなぎ取付金具が開示されている。
【０００５】
また、特許文献２には、ネジ軸の一端にこのネジ軸と直角な当板が設けられ、外壁を形成する壁パネル間の縦目地に壁パネルの屋内側から当板が壁パネルの内面に当接するまでネジ軸を挿入することにより、このネジ軸先端が壁パネルの屋外面から突出する壁つなぎ本体と、屋外面から突出するネジ軸先端の突出部に螺合し、当板との間で壁パネルを挟むとともに、壁つなぎのボルトを螺合するための雌ネジが形成されたネジ部を有する継ぎナット金具とを備える足場枠支持金具が開示されている。
【先行技術文献】
【特許文献】
【０００６】
【特許文献１】特開平０７−０１８８４８号公報
【特許文献２】特開平０６−１８００６１号公報
【発明の概要】
【発明が解決しようとする課題】
【０００７】
しかしながら、特許文献１の壁つなぎ取付金具では、ビス止め金物は、縦目地内に嵌った状態で鉄骨柱の屋外面にビスで固定されるため、リフォームや増改築時には、固定されているビス止め金物の位置を探さないと利用することができないので、手間が掛かる。また、リフォームや増改築時において、このようにビス止め金物が固定されていると、新築時の足場位置と異なる場合には、壁つなぎの固定が困難になる。
【０００８】
特許文献２の足場枠支持金具は、壁パネル間の縦目地に壁パネルの屋内側から壁パネルの内面に当板が当接するまで壁つなぎ本体のネジ軸を挿入し、壁パネルの屋外面から突出するネジ軸先端の突出部に屋外側から継ぎナット金具を螺合させることにより、当板と継ぎナット金具との間で壁パネルを挟んで取り付けているため、屋内側と屋外側の双方にそれぞれ作業者を配置して施工を行う必要があるので、手間が掛かる。また、特許文献２のように壁パネルを屋内側から壁つなぎ本体の当板と屋外側から継ぎナット金具で挟む場合には、内装の施工完了前に取り外さないと、屋内側に壁つなぎ本体が残ったままの状態となる。
【０００９】
本発明は、上記のような課題に鑑みてなされたものであって、外壁パネル間の縦目地のどの位置にでも屋外側から容易に取り付け及び取り外しすることができる壁つなぎ取付構造を提供することを目的とする。
【課題を解決するための手段】
【００１０】
上記目的を達成するために、請求項１に記載の壁つなぎ取付構造は、建物と該建物の外壁に沿って立設される足場とを固定する壁つなぎ取付構造であって、前記建物の外壁を形成する外壁パネル間の縦目地に挿入され、前記外壁パネルが取り付けられる軸組材に引っ掛けられるフックボルトと、前記縦目地から屋外側へ突出する前記フックボルトの後端側を挿通可能な貫通孔が形成されている押えプレートと、前記押えプレートの前記貫通孔に前記フックボルトの後端側を挿通させた状態で、前記フックボルトの後端側から取り付けることにより前記押えプレートを前記外壁パネルの表面側へと押し付け、且つ、前記建物と前記足場を固定するための壁つなぎの先端側が取り付けられる固定部材とを有する壁つなぎ固定具と、水平方向に延びるパイプ状に形成され、水平方向の任意の位置に前記壁つなぎの後端側が取り付けられる本体部と、前記本体部の両端にそれぞれ設けられ、前記固定部材の高さに合うように高さ位置が調整され、前記足場の隣接する支柱にそれぞれ固定される一対のクランプ部とを有する水平部材と、を備えることを特徴としている。
【００１１】
請求項２に記載の壁つなぎ取付構造は、前記フックボルトの後端側が、前記押えプレートの貫通孔に挿通された状態において、前記フックボルトの軸方向の回転に伴って前記押えプレートが回転するように形成されていることを特徴としている。
【００１２】
請求項３に記載の壁つなぎ取付構造は、前記壁つなぎ固定具が、前記押えプレートと前記外壁パネルの間に介在される緩衝材を有すること特徴としている。
【００１３】
請求項４に記載の壁つなぎ取付構造は、前記水平材が、水平方向に長さ調節可能であることを特徴としている。
【発明の効果】
【００１４】
請求項１に記載の壁つなぎ取付構造によれば、フックボルトを外壁パネル間の縦目地に挿入し、外壁パネルが取り付けられる軸組材に引っ掛け、押えプレートの貫通孔に縦目地から屋外側へ突出するフックボルトの後端側を挿通させた状態で、固定部材をフックボルトの後端側から取り付けることにより押えプレートを外壁パネルの表面側へと押し付けることで、屋外側から壁つなぎ固定具を外壁パネル間の縦目地のどの位置にでも容易に取り付けることができる。また、壁つなぎの後端側が取り付けられる本体部を有する水平材は、両端にそれぞれ足場の隣接する支柱に固定される一対のクランプ部を有しているので、外壁パネル間の縦目地に取り付けられた壁つなぎ固定具の固定部材の高さに合うように高さ位置を調節して、それぞれのクランプ部を支柱に容易に固定することができる。また、水平材の本体部は、水平方向に延びるパイプ状に形成されており、壁つなぎの後端側が取り付けられる水平方向の位置も自由に調整することができるので、壁つなぎの先端側を固定部材の後端側に確実に取り付けることができ、足場を建物に容易に固定することができる。
【００１５】
また、請求項１に記載の壁つなぎ取付構造によれば、建物の施工終了後は、壁つなぎの先端側と固定部材の後端側を取り外した後、固定部材の先端側とフックボルトの後端側を取り外し、フックボルトを軸組材に引っ掛けられている状態から解除して、屋外側に引き抜くことにより、屋外側から容易に壁つなぎ固定具を取り外すことができるので、リフォームや増改築時にも、内装の解体等を行うことなく、再度、壁つなぎ固定具を縦目地の取り付けたい位置に容易に取り付けることができる。また、壁つなぎ固定具は、フックボルトを軸組材に引っ掛け、押えプレートを外壁パネルの表面側へ押し付けることにより、フックボルトと押えプレートにより外壁を挟み込んで取り付けられているので、外壁表面等にビス穴や傷等を残さずに壁つなぎ固定具を完全に取り外すことができ、意匠性を損なうことがないため、外壁表面を補修したりする必要がなく、工期の短縮を図ることができる。
【００１６】
請求項２に記載の壁つなぎ取付構造によれば、フックボルトの後端側は、押えプレートの貫通孔に挿通された状態において、フックボルトの軸方向の回転に伴って押えプレートが回転するように形成されているので、フックボルトの軸組材への引っ掛かり状態を屋外側から押えプレートの向きで容易に確認することができる。
【００１７】
請求項３に記載の壁つなぎ取付構造によれば、壁つなぎ固定具は、押えプレートと外壁パネルの間に介在される緩衝材を有しているので、外壁パネルの表面に傷等が付くことを抑制しつつ、壁つなぎ固定具を外壁により安定させて固定することができる。
【００１８】
請求項４に記載の壁つなぎ取付構造によれば、水平材は、水平方向に長さ調節可能であるので、メーカーの違い等によって足場の寸法や形状が異なることにより、足場の支柱の間隔が異なるような場合でも適切にそれぞれのクランプ部を支柱に固定することができる。
【図面の簡単な説明】
【００１９】
【図１】本発明に係る壁つなぎ取付構造の一例を示す概略斜視図である。
【図２】図１におけるＡ−Ａ線断面図である。
【図３】本発明に係る壁つなぎ取付構造の一例を示す概略側面断面図である。
【図４】壁つなぎ固定具のフックボルトを縦目地に挿入した際の状態を示す要部拡大平面断面図である。
【図５】壁つなぎ固定具のフックボルトを縦目地に挿入した際の状態を示す要部拡大正面図である
【図６】壁つなぎ固定具を外壁に取り付けた際の状態を示す要部拡大平面断面図である。
【図７】壁つなぎ固定具を外壁に取り付けた際の状態を示す要部拡大正面図である。
【図８】フックボルトの一例を示す概略平面図である。
【図９】図６におけるＢ−Ｂ線断面図である。
【図１０】フックボルトの一例を示す概略側面図である。
【図１１】押えプレートの一例を示す概略正面図である。
【図１２】押えプレートの一例を示す概略側面図である。
【図１３】緩衝材の一例を示す概略正面図である。
【発明を実施するための形態】
【００２０】
以下、本発明に係る壁つなぎ取付構造の実施形態について、図面を参照しつつ説明する。本発明に係る壁つなぎ取付構造は、建物１と該建物１の外壁２に沿って立設される足場３とを固定するためのものであって、図１に示すように、建物１の外壁２を形成する外壁パネル２１間の縦目地２２を利用して取り付けられる壁つなぎ固定具４と、足場２側に固定される水平材５と、建物１と足場３を固定するための壁つなぎ６とを備えている。
【００２１】
外壁パネル２１は、図２及び図４に示すように、リップ付き溝形鋼からなる軸組材２３をその溝部を向き合わせて矩形に接合した軸組の外面側に取り付けられている。外壁パネル２１は、この軸組材２３によって矩形に枠組みされた軸組の大きさに略合致する平面形状に形成されており、背面における側端面には、凹溝２１ａが形成されている。また、この凹溝２１ａが形成されている外壁パネル２１の背面における周縁部には、断面略コ字形の溝形鋼で形成された縁材２４が取り付けられている。外壁２は、このような外壁パネル２１が並設されることによって構成されており、隣接する外壁パネル２１間には、縦目地２２が形成されている。
【００２２】
足場３は、建物１のリフォームや増改築時、新築時等に各種作業を行うために、建物１の外壁２に沿って立設されるものであって、図１及び図３に示すように、所定の間隔を離して配置される複数の支柱３１（３１ａ，３１ｂ）に、手摺３２、中桟３３、踏板３４等が組み付けられて構成されている。支柱３１ａは、建物１に対して近い側の位置に配置される内側支柱であって、建物１に対して遠い側には、外側支柱３１ｂが支柱３１ａと対向するように配置されている。これらの支柱３１ａ、３１ｂには、上下方向に沿って所定距離毎に、外周に４個ずつコマ金具３５が設けられている。このコマ金具３５は、詳しくは図示しないが、平面視略コ字型の形状に形成されており、その両側片の先端が支柱３１ａ、３１ｂの外周面に溶接によって固定され、内側には上下方向に貫通する貫通孔が設けられている。
【００２３】
隣接する支柱３１ｂ間に配置される手摺３２及び中桟３３には、それぞれ両端に楔片３２ａ及び３３ａが設けられている。そして、この楔片３２ａ及び３３ａが支柱３１ｂの対応するコマ金具３５の貫通孔に打ち込まれることにより、手摺３２及び中桟３３は、隣接する支柱３１ｂ間に水平に架け渡された状態でそれぞれ組み付けられる。踏板３４は、詳しくは図示しないが、例えば、矩形状の枠材と、この枠材によって支持される多数の網目を有するメッシュ部材により構成される床面材とを備えている。また、踏板３４の両端には、それぞれフック３４ａが設けられており、内側支柱３１ａのコマ金具３５と外側支柱３１ｂのコマ金具３５に架け渡されて支持されているブラケット３６にフック３４ａが係合されることにより、踏板３４が水平に組み付けられている。また、踏板３４の幅寸法は、内側支柱３１ａと外側支柱３１ｂの間に収まるように、内側支柱３１ａから外側支柱３１ｂまでの距離よりも短く設計されている。
【００２４】
本実施形態に係る壁つなぎ取付構造では、このような足場３を壁つなぎ６を用いて建物１に固定するために、図１に示すように、建物１の外壁２側には壁つなぎ固定具４が取り付けられ、足場３側には水平材５が取り付けられる。
【００２５】
壁つなぎ固定具４は、図２及び図６に示すように、フックボルト４１と、押えプレート４２と、緩衝材４３と、ナット部材（固定部材）４４とを有している。フックボルト４１は、図８〜図１０に示すように、後端側に雄ネジ４１ｃが形成されている軸部４１ａと、軸部４１ａの先端に該軸部４１ａに直交するように設けられる掛止部４１ｂとを有しており、平面視略Ｔ字状に形成されている。軸部４１ａの後端側には、雄ネジ４１ｃの一部が切断されたカット部４１ｄが形成されており、図９に示すように、断面が円の上部と下部が水平に切断された形状になっている。
【００２６】
フックボルト４１は、図４に示すように、先端側から外壁パネル２１間の縦目地２２に挿入できるように、軸部４１ａの径及び掛止部４１ｂの厚さが縦目地２２の幅よりも小さく設計されている。また、軸部４１ａの径と掛止部４１ｂの厚さは、略同一に設計されている。尚、ここでは、先端側は屋内側であり、後端側は屋外側である。
【００２７】
掛止部４１ｂは、図４に示すように、縦目地２２に沿う方向に向けられた状態で、フックボルト４１が先端側から所定距離だけ挿入された後、図６に示すように、軸部４１ａの軸方向を中心に回転させられることにより、隣り合う軸組材２３に引っ掛けられるものである。掛止部４１ｂは、水平方向の長さが、軸組材２３に引っ掛けられるように、隣り合う軸組材２３間の隙間よりも長く形成されている。また、軸部４１ａの長さは、図６に示すように、掛止部４１ｂが軸組材２３に引っ掛けられている状態において、カット部４１ｄが施されている後端側の雄ネジ４１ｃの部分が外壁パネル２１間の縦目地２２から屋外側に所定距離だけ突出するように設計されている。
【００２８】
押えプレート４２は、外壁パネル２１の表面側に押し付けられるものであって、図１１及び図１２に示すように、略長方形に形成された平板状の当接部４２ａと、該当接部４２ａの上端及び下端から略直角に折り曲げて形成された一対の折り返し片４２ｂとを有している。当接部４２ａの中央部には、フックボルト４１の軸部４１ａの後端側を挿通可能な貫通孔４２ｃが形成されている。また、貫通孔４２ｃの周囲には、当接部４２ａの強度を向上させるために、略円状にビード補強部４２ｄが形成されている。
【００２９】
貫通孔４２ｃは、図１１に示すように、長方形状に形成されており、横方向の寸法が軸部４１ａの後端側の雄ネジ４１ｃが形成されている部分の径よりも大きく設定されており、縦方向の寸法が図９に示す軸部４１ａの後端側の雄ネジ４１ｃの一部が切断されている上下のカット部４１ｄ間の距離よりも大きく且つ軸部４１ａの径よりも小さく形成されている。従って、貫通孔４２ｃに軸部４１ａのカット部４１ｄが施されている後端側の雄ネジ４１ｃの部分を挿入した状態で、軸部４１ａを軸方向に回転させた場合には、カット部４１ｄが貫通孔４２ｃの内面に当接して、貫通孔４２ｃに対して回転方向の力が作用するので、押えプレート４２も軸部４１ａの回転に連動して回転するようになっている。尚、押えプレート４２の当接部４２ａの形状は、接触面積を大きくするために、略長方形の平板状に形成されることが好ましいが、特にこれに限定されるものではなく、外壁パネル２１の表面側に押し付けることができるような形状のものであれば良い。
【００３０】
緩衝材４３は、図４及び図６に示すように、外壁パネル２１と押えプレート４２との間に介在され、押えプレート４を外壁パネル２１の表面側に押し付けた際等に、外壁パネル２１の表面に傷等が付くことを抑制するためのものであって、従来公知の材料を適宜用いることができる。この緩衝材４３は、図１３に示すように、長方形に形成された平板状の部材であって、中央部にフックボルト４１の軸部４１ａの後端側を挿通可能な貫通孔４３ａが形成されている。貫通孔４３ａは、長方形状に形成されており、全ての辺が軸部４１ａの雄ネジ４１ｃが形成されている部分の径よりも大きく形成されている。また、緩衝材４３は、図４〜図７に示すように、押えプレート４２が外壁パネル２１の表面に直接接触しないように、押えプレート４２よりも大きく設計されている。尚、緩衝材４３は、押えプレート４２の当接部４２ａの背面側に予め接着されることにより、押えプレート４２と一体として形成されていても良い。
【００３１】
ナット部材４４は、図６に示すように、先端側に軸部４１ａの後端側に形成されている雄ネジ４１ｃと螺合する先端側雌ネジ４４ａが形成されており、後端側には壁つなぎ６の先端側に設けられるボルト部６１と螺合する後端側雌ネジ４４が形成されている。先端側雌ネジ４４ａは、フックボルト４１の掛止部４１ｂが軸組材２３に引っ掛けられ、軸部４１ａの後端側が緩衝材４３の貫通孔４３ａ及び押えプレート４２の貫通孔４２ｃに挿通された状態において、押えプレート４２の貫通孔４２ｃから屋外側へ突出する軸部４１ａの後端側の突出部分の長さよりも長くなるように設計されている。従って、先端側雌ネジ４４ａを軸部４１ａの後端側の雄ネジ４１ｃと螺合させた際に、軸部４１ａの後端がナット部材４４の後端側雌ネジ４４ｂ側に突き出ないようになっている。また、ナット部材４４の先端側雌ネジ４４ｂが、軸部４１ａの後端側の雄ネジ４１ｃと螺合されることにより、図６に示すように、押えプレート４２が緩衝材４３を介して外壁パネル２１の表面と押し付けられ、外壁パネル２１がフックボルト４１の掛止部４１ｂと押えプレート４２との間に挟み込まれた状態となり、縦目地２２を利用して壁つなぎ固定具４を外壁２へと取り付けることができる。
【００３２】
足場２側に固定される水平材５は、図２に示すように、水平方向に長尺なパイプ状に形成されている本体部５１と、本体部５１の両端にそれぞれ設けられ、足場３の隣接する支柱３１ａにそれぞれ固定される一対のクランプ部５２，５３とを有している。
【００３３】
本体部５１は、それぞれパイプ状に形成されている第１パイプ部材５４と、第２パイプ部材５５により構成されている。第１パイプ部材５４は、その一端（図２中の左端側）に一方のクランプ部５２が支持軸５２ａによって回動可能に軸支されている。この第１パイプ部材５４の外径は、壁つなぎ６の後端側に設けられるクランプ部６２が取り付けられるように、手摺３２等の外径と略同径に形成されている。第２パイプ部材５５は、その一端側（図２中の右端側）に他方のクランプ部５３が支持軸５３ａによって回動可能に軸支されている。この第２パイプ部材５５は、第１パイプ部材５４の内部に挿入することができるように、外径が第１パイプ部材５４の内径よりも若干小さく形成されている。
【００３４】
また、本体部５１は、水平方向に長さ調節ができるように、第２パイプ部材５５には、水平方向に長尺なスライド孔５５ａが形成され、第１パイプ部材５４には、スライド孔５５ａに挿通される軸部材５４ａが設けられている。これにより、第２パイプ部材５５は、第１パイプ部材５４に対して、水平方向にスライド孔５５ａの長さ分だけスライド可能な状態で連結される。従って、水平材５では、隣接する支柱３１ａの間隔に合わせて、第２パイプ部材５５を水平方向にスライドさせて、長さを適宜調節することにより、それぞれのクランプ部５２，５３を支柱３１ａに適切に固定することができる。尚、水平方向への長さを調節するための機構は、これに限定されるものではなく、従来公知の長さ調節手段を用いても良い。
【００３５】
クランプ部５２，５３は、それぞれ足場の隣接する支柱３１ａに固定されるものであって、それぞれ第１パイプ部材５４及び第２パイプ部材５５に支持軸５２ａ及び支持軸５３ａを介して回動可能に支持されている。クランプ部５２は、図２に示すように、一対のクランプ爪５２ｂ、５２ｃを有しており、この一対のクランプ爪５２ｂ、５２ｃがそれぞれ支持軸５２ａに対して回動可能に支持されている。このように、クランプ部５２では、一対のクランプ爪５２ｂ、５２ｃがそれぞれ支持軸５２ａに対して回動可能に支持されているので、一対のクランプ爪５２ｂ、５２ｃを支持軸５２ａを中心に適宜回動させて調整することで、足場３の支柱３１ａに取り付け易くすることができる。
【００３６】
クランプ爪５２ｂの先端側には、支持軸５２ｄに回動可能に軸支される調整ボルト５２ｅが設けられている。また、クランプ爪５２ｃの先端側には、詳しくは図示しないが、調整ボルト５２ｅを挿入させることができる切欠部が形成されており、この切欠部に調節ボルト５２ｅを挿入すると共に、ナットを調節ボルト５２ｅに螺着させて回転させていくことで、一対のクランプ爪５２ｂ、５２ｃの間隔を調節し、支柱３１ａを把持した状態で固定することができる。尚、クランプ部５３は、クランプ部５２と同様に構成されるものであるので、詳細な説明については省略するが、それぞれクランプ爪５３ｂがクランプ爪５２ｂ、クランプ爪５３ｃがクランプ爪５２ｃ、支持軸５３ｄが支持軸５２ｄ、調整ボルト５３ｅが調整ボルト５２ｅに対応している。
【００３７】
このように足場３の隣接する支柱３１ａにそれぞれのクランプ部５２，５３が固定されることにより、取り付けられた水平材５と、建物１の外壁２に取り付けられた壁つなぎ固定具４には、図１〜図３に示すように、壁つなぎ６が取り付けられる。壁つなぎ６は、建物１と足場３を固定するための従来公知のものであって、伸縮可能な構造になっており、先端側に雄ネジが形成されたボルト部６１が設けられ、後端側にクランプ部６２が設けられている。本実施形態に係る壁つなぎ取付構造では、このような壁つなぎ６を、水平材５の第１パイプ部材５４にクランプ部６２を取り付け、壁つなぎ固定具４のナット部材４４の後端側雌ネジ４４ｂにボルト部６１を螺合させることにより、足場３を建物１に固定する。尚、本実施形態に係る壁つなぎ取付構造では、図１及び図３に示すように、水平材５のクランプ部５２，５３が建物１に対して近い側の位置に配置される内側支柱３１ａに固定される例を示しているが、建物１に対して遠い側に位置する外側支柱３１ｂにクランプ部５２，５３を固定するようにしても良い。その場合には、外側支柱３１ｂから外壁パネル２１までの距離に対応する壁つなぎ６が用いられる。
【００３８】
以下、本発明に係る壁つなぎ取付構造の施工手順の一例について図面を参照しつつ説明する。まず、図４及び図５に示すように、押えプレート４２の貫通孔４２ｃ及び緩衝材４３の貫通孔４３ａに、予めフックボルト４１の後端側を挿通させておいた状態で、フックボルト４１を先端側から隣接する外壁パネル２１間の縦目地２２に挿入させる。この際、軸部４１ａの先端側に設けられる掛止部４１ｂが縦目地２２に挿入できるように、軸部４１ａを図８に示す平面視略Ｔ字状の状態から軸方向に９０度回転させて、図４に示すように、掛止部４１ｂを縦目地２２に沿う方向に向けた状態で縦目地２２に挿入させる。従って、フックボルト４１を縦目地２２に挿入する際は、図５に示すように、押えプレート４２も軸部４１ａの回転に伴って９０度回転した状態になるため、当接部４２ａの上端及び下端に形成される折り返し片４２ｂが左右に位置するようになる。
【００３９】
そして、フックボルト４１を先端側から縦目地２２に所定距離だけ挿入させた後、軸部４１を軸方向を中心に９０度回転させて、屋外側に少し引っ張ることにより、図６に示すように、軸部材２３に掛止部４１ｂを引っ掛ける。この際、軸部４１ａの回転に伴って、押えプレート４２も図５の状態から、図７に示すように、回転するので、掛止部４１ｂを軸組材２３へ引っ掛けるために軸部４１ａが回転したかどうかを屋外側から押えプレート４２の向きによって容易に確認することができる。
【００４０】
次に、押えプレート４２を緩衝材４３を介して外壁パネル２１の表面へと押し付けるために、図６及び図７に示すように、ナット部材４４の先端側雌ネジ４４ａを押えプレート４２の貫通孔４２ｃから屋外側へ突出する軸部４１ａの後端側の雄ネジ４１ｃと螺合させる。これにより、押えプレート４２は、外壁パネル２１の表面へと押し付けられ、外壁パネル２１がフックボルト４１の掛止部４１ｂと押えプレート４２との間に挟み込まれた状態となり、壁つなぎ固定具４が外壁２へと取り付けられる。このように壁つなぎ固定具４は、作業者による屋外側からの作業のみで外壁パネル２１間の縦目地２２のどの位置にでも容易に取り付けることができる。
【００４１】
次に、図１〜図３に示すように、水平材５の本体部５１の高さ位置が、外壁２側に取り付けられた壁つなぎ固定具４のナット部材４４の高さに合うように調整され、一対のクランプ部５２、５３が足場３の隣接する支柱３１ａに固定される。そして、この足場３に取り付けられた水平材５の本体部５１（第１パイプ部材５４）に、壁つなぎ６の後端側のクランプ部６２を水平方向の位置がナット部材４４に合うように調整して固定し、先端側のボルト部６１をナット部材４４の後端側雌ネジ４４ｂに螺合させる。これにより、作業者は、屋外側からの作業のみで足場３を建物１に容易に固定することができる。
【００４２】
また、足場３を用いた建物１の施工が終了した後は、壁つなぎ６のボルト部６１とナット部材４４の後端側雌ネジ４４ｂとの螺合状態を解除した後、ナット部材４４の先端側雌ネジ４４ａとフックボルト４１の軸部４１ａの後端側の雄ネジ４１ｃとの螺合を緩めて、フックボルト４１を軸方向を中心に回転させて、図４に示すように、掛止部４１ｂを縦目地２２に沿う方向に向けた状態で屋外側に引き抜くことにより、屋外側からの作業のみで外壁２から容易に壁つなぎ固定具４を取り外すことができる。
【００４３】
尚、本発明の実施の形態は上述の形態に限ることなく、本発明の思想の範囲を逸脱しない範囲で適宜変更することができる。
【符号の説明】
【００４４】
１          建物
２          外壁
２１        外壁パネル
２２        縦目地
２３        軸組材
３          足場
３１        支柱
４          壁つなぎ固定具
４１        フックボルト
４１ａ      軸部
４１ｂ      掛止部
４１ｃ      雄ネジ
４２        押えプレート
４２ｃ      貫通孔
４３        緩衝材
４４        ナット部材（固定部材）
４４ａ      先端側雌ネジ
４４ｂ      後端側雌ネジ
５          水平材
５１        本体部
５２、５３  クランプ部
６          壁つなぎ
６１        ボルト部
【図１】
2016056639.tif 000003
【図２】
2016056639.tif 000004
【図３】
2016056639.tif 000005
【図４】
2016056639.tif 000006
【図５】
2016056639.tif 000007
【図６】
2016056639.tif 000008
【図７】
2016056639.tif 000009
【図８】
2016056639.tif 000010
【図９】
2016056639.tif 000011
【図１０】
2016056639.tif 000012
【図１１】
2016056639.tif 000013
【図１２】
2016056639.tif 000014
【図１３】
2016056639.tif 000015